(57)【要約】【課題】コンロ本体１の上面を覆う天板２をガラス製とするガラストップコンロであって、天板２に、コンロ本体１に設けた熱源たるバーナ４を臨ませるコンロ開口３を開設すると共に、コンロ開口３の開口縁部に金属製の保護リング１２を装着して成るものにおいて、天板２に大きな荷重が作用しても、天板２が割れないようにする。【解決手段】保護リング１２に当接して天板２の下方への撓みを制限する、コンロ本体１に対し固定の天板支持部材１３を設ける。【選択図】  図２
2004301365.tif 000002
【特許請求の範囲】
【請求項１】
コンロ本体の上面を覆う天板をガラス製とするガラストップコンロであって、天板に、コンロ本体に設けた熱源たるバーナを臨ませるコンロ開口を開設すると共に、コンロ開口の開口縁部に金属製の保護リングを装着して成るものにおいて、
保護リングに当接して天板の下方への撓みを制限する、コンロ本体に対し固定の天板支持部材を設けることを特徴とするガラストップコンロ。
【請求項２】
前記保護リングと前記天板支持部材との一方と他方とに、互いに係合する雄型の係合部と雌型の係合部とを形成し、両係合部の係合で保護リングが前記コンロ開口の開口縁部に対し回り止めされるようにすることを特徴とする請求項１に記載のガラストップコンロ。
【請求項３】
前記保護リングは、前記コンロ開口内に挿入される筒部と、天板の上面と下面に対向する、筒部を介して連結される上下のフランジ部とを備え、下フランジ部または筒部の下端に前記雄型と雌型の一方の係合部が形成されていることを特徴とする請求項２に記載のガラストップコンロ。
【発明の詳細な説明】
【０００１】
【発明の属する技術分野】
本発明は、コンロ本体の上面を覆う天板をガラス製とするガラストップコンロに関する。
【０００２】
【従来の技術】
最近は、外観性および清掃性の良さから天板をガラス製としたガラストップコンロが市販されるようになっている。
【０００３】
ガラス製の天板に、コンロ本体に設ける熱源たるバーナを臨ませるコンロ開口を開設する場合、コンロ開口の開口縁部への衝撃で天板の割れを生じ易くなるため、コンロ開口の開口縁部に割れ防止のための金属製の保護リングを装着している。保護リングは、コンロ開口内に挿入される筒部と、天板の上面と下面に対向する、筒部を介して連結される上下のフランジ部とを備え、各フランジ部と天板との間にパッキンを介設している。
【０００４】
ところで、ガラス製の天板を用いる場合、天板に過大な荷重が作用すると、天板の割れを生ずる。そのため、従来、天板をコンロ開口の開口縁部においてバーナ本体に支持させ、天板の割れを防止するようにしたものが知られている（例えば、特許文献１参照。）。
【０００５】
【特許文献１】
特開平１０−１６９９１８号公報（第３頁、図４）
【０００６】
【発明が解決しようとする課題】
上記従来例では、天板に作用する荷重をバーナ本体が受けることになり、バーナ本体の負担が大きくなって、その変形を生ずる可能性がある。
【０００７】
本発明は、以上の点に鑑み、バーナ本体に負担を掛けずにガラス製天板の割れを防止できるようにしたガラストップコンロを提供することをその課題としている。
【０００８】
【課題を解決するための手段】
上記課題を解決するために、本発明は、コンロ本体の上面を覆う天板をガラス製とするガラストップコンロであって、天板に、コンロ本体に設けた熱源たるバーナを臨ませるコンロ開口を開設すると共に、コンロ開口の開口縁部に金属製の保護リングを装着して成るものにおいて、保護リングに当接して天板の下方への撓みを制限する、コンロ本体に対し固定の天板支持部材を設けている。
【０００９】
上記の構成によれば、天板に過大な荷重が作用しても、天板の下方への撓み量を天板支持部材によって許容範囲内に制限でき、天板の割れが防止される。更に、天板に作用する荷重を保護リングを介して天板支持部材に受けさせることができるため、バーナに負担が掛かることはない。
【００１０】
ところで、コンロ開口の周辺部は相当高温になって、接着剤の耐熱限界を超えるため、保護リングをコンロ開口の開口縁部に接着剤で固定することはできない。そのため、保護リングは、天板の清掃時等に外力が加えられたとき、開口縁部に対しその周方向に回動してしまう。そして、保護リングと天板との間にパッキンを介設している場合には、保護リングの回転でパッキンが損耗し、また、パッキンが介設されていない場合には、天板に保護リングによる擦り傷が付く。
【００１１】
この場合、保護リングと天板支持部材との一方と他方とに、互いに係合する雄型の係合部と雌型の係合部とを形成し、両係合部の係合で保護リングがコンロ開口の開口縁部に対し回り止めされるようにすれば、パッキンが損耗したり、天板に擦り傷が付いたりすることを防止できる。尚、保護リングが、コンロ開口内に周囲の隙間を存して挿入される筒部と、天板の上面と下面に対向する、筒部を介して連結される上下のフランジ部とを備えるものである場合は、下フランジ部または筒部の下端に雄型と雌型の一方の係合部を形成し、この係合部を天板支持部材に形成する他方の係合部に係合すれば良い。
【００１２】
【発明の実施の形態】
図１は、コンロ本体１の上面に、ガラス、例えば、耐熱性に優れた結晶化ガラスで形成される天板（以下、ガラス天板と記す）２を装着したドロップイン式のガラストップコンロを示している。ガラス天板２には、左右一対のコンロ開口３，３が開設されている。そして、コンロ本体１内に、各コンロ開口３に臨ませて、熱源たる各バーナ４を設けている。
【００１３】
バーナ４は、図２に示す如く、コンロ開口３と同心の環状のバーナ本体５に内向きの炎孔６を多数形成して成る内炎式バーナで構成されている。バーナ本体５は、コンロ本体１の底板１ａ上に設けた図外の台座に固定されている。バーナ本体５上には、外方からの空気を炎孔６の近傍に燃焼用二次空気として導く二次空気用の通気路７をバーナ本体５の上面との間に画成する環状のガイド部材８が設けられている。ガイド部材８は、周方向複数箇所において、前記台座にバーナ本体５と共締めした図外のブラケットに取付けられている。また、ガイド部材８の内周側の部分は、コンロ開口３に向けて上方に立ち上がっており、この内周側部分でバーナ４の炎をコンロ開口３内に導く火炎ガイドが構成されるようにしている。
【００１４】
尚、バーナ４の内径部（バーナ本体５で囲われる空間）の下方には、内径部に落下する煮こぼれを受けさせるために、汁受け皿９が設けられている。汁受け皿９は、バーナ本体５に周囲複数箇所で固定された、バーナ本体５の内径（炎孔部分の径）より大径の固定皿９１と、固定皿９１上に着脱自在に載置した、バーナ本体５の内径より小径の可動皿９２とで構成され、通常は可動皿９２で煮こぼれ汁を受けられるようにしている。そして、清掃のために可動皿９２をバーナ本体５の上方に取り上げる際、可動皿９２をひっくり返しても、可動皿９２内の煮こぼれ汁を固定皿９１で捕捉できるようになっている。また、可動皿９２の外周フランジ部９２ａを受ける固定皿９１のフランジ部分９１ａには、周方向に一定間隔で溝部９１ｂが形成されており、可動皿９２から溢れた煮こぼれ汁が溝部９１ｂを介して固定皿９１に流入するようにしている。
【００１５】
ガラス天板２上には、その手前側に、左右のバーナ４，４用の左右一対の操作摘み１０，１０が配置され、更に、左右一対のコンロ開口３，３に対応させて、調理容器Ｐを載置する左右一対の五徳１１，１１が配置されている。各五徳１１は、周方向に間隔を存して配置した複数の五徳爪１１ａと、これら五徳爪１１ａを連結する環状の五徳枠１１ｂとで構成されている。本実施形態では、五徳爪１１ａと五徳枠１１ｂとを鉄系材料、例えば、ステンレスで一体に鋳造成形している。そして、各五徳爪１１ａの外端部下縁に真鍮等の軟質金属製のスペーサ１１ｃを螺着し、五徳１１がスペーサ１１ｃを介してガラス天板２に着座するようにしている。
【００１６】
また、コンロ開口３の開口縁部には、開口縁部への衝撃によるガラス天板２の割れを防止するために、金属製の保護リング１２が装着されている。保護リング１２は、図３に明示する如く、コンロ開口３内に挿入される筒部１２０と、ガラス天板２の上面に対向する上フランジ部１２１と、ガラス天板２の下面に対向する下フランジ部１２２とを有する。尚、筒部１２０が熱膨張でコンロ開口３の開口縁部に圧接して、ガラス天板２の割れを生ずることがないように、筒部１２０は、コンロ開口３内に周囲の隙間を存して挿入される。
【００１７】
筒部１２０は、上フランジ部１２１に一体の内筒１２０ａと下フランジ部１２２に一体の外筒１２０ｂとの内外２重構造になっている。そして、外筒１２０ｂの周方向複数箇所に、内方に突出する切り出し爪１２０ｃを形成すると共に、内筒１２０ａの周方向複数箇所に係合孔１２０ｄを形成し、外筒１２０ｂに内筒１２０ａを内嵌させたとき、各係合孔１２０ｄに各切り出し爪１２０ｃが係合するようにしている。これにより、内筒１２０ａが外筒１２０ｂに不動に係止され、上下のフランジ部１２１，１２２が筒部１２０を介して連結される。
【００１８】
また、上フランジ部１２１と下フランジ部１２２は、ガラス天板２の傷つき防止のため、それぞれパッキン１２３を介してガラス天板２の下面と上面に着座されるようになっている。そして、内筒１２０ａを外筒１２０ｂに上記の如く係止して保護リング１２をコンロ開口３の開口縁部に装着したとき、パッキン１２３が圧縮されて、パッキン１２３とガラス天板２との間に働く摩擦力によりガラス天板２に対する保護リング１２の動きが或る程度制止されるようにしている。尚、上フランジ部１２１とガラス天板２の上面との間に開設するパッキン１２３は２枚重ねにしている。
【００１９】
ところで、コンロの配置部上方のレンジフードの設置工事やメンテナンス時に、作業者が不注意でガラス天板２に足を掛け、ガラス天板２に過大な荷重が作用することがある。この場合、ガラス天板２のコンロ開口３部分における下方への撓みが或る限度を超えると、ガラス天板２に開口縁部からの亀裂が入り、ガラス天板２が割れる。
【００２０】
そこで、本実施形態では、コンロ本体１の底板１ａに、バーナ４の配置部両外側に位置させて、一対の天板支持部材１３，１３を立設している。そして、各天板支持部材１３の上端を内側に屈曲させ、この屈曲部１３ａを保護リング１２の下フランジ部１２２に当接させている。かくして、ガラス天板２のコンロ開口３部分における下方への撓みは、天板支持部材１３により許容範囲内に制限される。そのため、ガラス天板２に過大な荷重が作用しても、ガラス天板２が割れることはない。尚、本実施形態では、保護リング１２に天板支持部材１３が常時当接するようにしているが、常時は、保護リング１２と天板支持部材１３との間に隙間が空き、ガラス天板２の許容範囲内での下方への撓みにより保護リング１２が天板支持部材１３に当接するようにしても良い。
【００２１】
また、本実施形態では、保護リング１２の下フランジ部１２２の外周に、下方に屈曲する筒部１２２ａを形成している。そして、筒部１２２ａに、図４に示す如く、天板支持部材１３の上端の屈曲部１３ａに交差する部分に位置させて、屈曲部１３ａから成る雄型係合部１４ａに係合する雌型係合部１４ｂたる切欠きを形成している。このように、雄型と雌型の両係合部１４ａ，１４ｂを係合させることにより、保護リング１２がコンロ開口３の開口縁部に対し確実に回り止めされる。そのため、保護リング１２が開口縁部の周方向に回動し、パッキン１２３が保護リング１２で擦られて損耗することを防止できる。
【００２２】
また、本実施形態では、五徳１１の五徳枠１１ｂで保護リング１２を上方から覆うと共に、五徳枠１１ｂの下面に、コンロ開口３に挿入されるガイド部材８の上縁部に外嵌する筒部１１ｄを形成して、五徳１１がガイド部材８を基準にしてバーナ４に対し芯決めされるようにしている。更に、五徳枠１１ｂの内周部に、ガイド部材８の上縁部の上方に隙間Ｌを存して対向する着座部１１ｅを形成している。この隙間Ｌは、ガラス天板２の許容範囲内における下方への撓み量に合わせて、例えば、２ｍｍ程度に設定されている。これによれば、五徳１１に過大な荷重が掛かったときに、天板支持部材１３が万一座屈して、ガラス天板２が下方に撓んでも、撓み量が許容範囲を超えてガラス天板２の割れを生ずる前に、着座部１１ｅがガイド部材８の上縁部に当接し、ガラス天板２の割れが防止される。
【００２３】
尚、五徳枠１１ｂの着座部１１ｅをガイド部材８の上縁部に常時当接させ、天板支持部材１３とガイド部材８とで荷重を分散して受けるように構成することも可能である。
【００２４】
また、上記実施形態では、保護リング１２を回り止めするために、天板支持部材１３に雄型係合部１４ａ、保護リング１２の下フランジ部１２２に雌型係合部１４ｂを形成したが、下フランジ部１２２の外周縁に下方にのびる爪片状の雄型係合部を形成し、この雄型係合部を挿入する孔から成る雌型係合部を天板支持部材１３の上端の屈曲部１３ａに形成しても良い。更には、天板支持部材１３の上端の屈曲部１３ａの内端部に、切欠きまたは孔から成る雌型係合部を形成し、保護リング１２の筒部１２０（内筒１２０ａ）の下端に、雌型係合部に挿入される突起から成る雄型係合部を突設しても良い。
【００２５】
また、上記実施形態では、バーナ４を内炎式バーナで構成したが、外炎式のバーナを用いるガラストップコンロにも、更には、ドロップイン式に限らず卓上式のガラストップコンロにも同様に本発明を適用できる。
【図面の簡単な説明】
【図１】本発明コンロの一例の斜視図。
【図２】図１のコンロの断面図。
【図３】図１のコンロの要部の拡大断面図。
【図４】保護リングと天板支持部材との係合状態を示す斜視図。
【符号の説明】
１…コンロ本体  ２…ガラス天板  ３…コンロ開口  ４…バーナ  １２…保護リング  １２０…筒部  １２１…下フランジ部  １２２…上フランジ部  １３…天板支持部材  １４ａ…雄型係合部  １４ｂ…雌型係合部
【図１】
2004301365.tif 000003
【図２】
2004301365.tif 000004
【図３】
2004301365.tif 000005
【図４】
2004301365.tif 000006